(57)【要約】【課題】  本発明は、撮像素子に必要以上に光を当てることを起因とする、ブルーミング等を効果的に防止できるシャッター装置を具備する撮像装置を提供することを目的とする。【構成】  本発明における撮像装置１は、電子シャッター機能を持つ撮像素子１０と、シャッター羽根の駆動機構を備えたシャッター装置２４と、シャッター装置２４の状態を検出する状態検出部（１２、１３、１４、１５）と、状態検出部（１２、１３、１４、１５）による検出結果に応じて前記電子シャッターの露光制御タイミングを調整する制御部３０とを具備する。【選択図】図１
2006270862.tif 000002
【特許請求の範囲】
【請求項１】
電子シャッター機能を持つ撮像素子と、
シャッター羽根の駆動機構を備えたシャッター装置と、
前記シャッター装置の状態を検出する状態検出部と、
前記状態検出部による検出結果に応じて前記電子シャッターの露光制御タイミングを調整する制御部とを具備することを特徴とする撮像装置。
【請求項２】
請求項１に記載の撮像装置において、前記状態検出部は、前記シャッター装置の駆動積算回数を検出し、前記制御部は、前記シャッター装置の駆動積算回数を基に前記電子シャッターの露光制御タイミングを調整することを特徴とする撮像装置。
【発明の詳細な説明】
【技術分野】
【０００１】
シャッター装置を具備する撮像装置に関する。
【背景技術】
【０００２】
従来より、シャッター羽根の駆動機構を備えたシャッター装置、いわゆるメカシャッターと、撮像素子の電子シャッター機能とを併用し露光制御を行なうカメラがある。（例えば特許文献１）
【特許文献１】特開平１１−２３４５７３号公報
【発明の開示】
【発明が解決しようとする課題】
【０００３】
上記露光制御においては、メカシャッター駆動でオープンループ制御となっている部分については、温度条件、姿勢差、耐久回数による経年変化、電源の種類、電圧等の違いを考慮して、最悪の条件でも露光タイミングに不具合が生じないことが保証されているタイミングで動作を行なっている。このようなメカシャッター駆動は、露光の為に必要な時間以上に開口しているため、撮像素子に余分な光が入射し、ブルーミング等が生じてしまう問題があった。
【０００４】
上記特許文献１においても、メカシャッタの余剰開口については考慮されておらず、撮ブルーミング等の発生を効果的に抑制することはできない。
本発明は、ブルーミング等を効果的に防止できるシャッター装置を具備する撮像装置を提供することを目的とする。
【課題を解決するための手段】
【０００５】
本発明を適用した撮像装置は、電子シャッター機能を持つ撮像素子と、シャッター羽根の駆動機構を備えたシャッター装置と、前記シャッター装置の状態を検出する状態検出部と、前記状態検出部による検出結果に応じて前記電子シャッターの露光制御タイミングを調整する制御部とを具備する。
【発明の効果】
【０００６】
本発明における撮像装置は、ブルーミング等を効果的に防止できる。
【発明を実施するための最良の形態】
【０００７】
以下、本発明をデジタルカメラに適用した実施の形態について添付図面を用いて説明する。
デジタルカメラ１のブロック図を図１に示す。撮像素子１０、撮像素子駆動部１１、画像処理部１２、温度センサ１３、姿勢センサ１４、電源制御部１５、EEPROM１６、ROM１７、RAM１８、記憶媒体１９、表示部２０、レリーズ釦２１、操作部２２、シャッター制御部２３は、制御部３０と接続され制御される。シャッター２４は、シャッター羽根を有しシャッター制御部２３の制御信号に基づいてシャッター羽根を駆動制御する。
【０００８】
撮像素子１０は、結像した被写体光を光電変換し蓄積し、被写体像信号として出力するCCD、CMOS等の長方形状の受光素子を持つ固体撮像素子である。撮像素子制御部１１は、撮像素子１０の露光蓄積時間等を制御し、蓄積した電荷を被写体像信号として出力させる。画像処理部１２は、撮像素子１０から出力された画像信号に種々の処理を行ない、画像データを作成する。作成された画像データはRAM１８や記憶媒体１９に記憶される。温度センサ１３は、シャッター２４内部又はシャッター２４周辺部の温度を検出し、出力するための温度センサである。
【０００９】
姿勢センサ１４は、デジタルカメラ１の正位置又は縦位置等の姿勢を検出する。
電源制御部１５は、不図示の電源より供給される電圧等を制御しており、電源の種類（ACアダプタ、電池）や、電源が電池の場合はその種類および供給される電圧、残り容量等を検出する。
【００１０】
EEPROM１６は、デジタルカメラ１の電源OFF時にもデータを保持可能で、電気的に書き換え可能なROMであり、デジタルカメラ１の設定値等を記憶する。本実施の形態においては、後述するシャッター２４の駆動回数もEEPROM１６記憶される。なおEEPROM１６の代わりにフラッシュメモリ等を用いても良い。ROM１７は、デジタルカメラの動作に必要なプログラムや初期値等のデータが記憶される。RAM１８は、制御部３０や、画像処理部１２等が処理を行なう際の一次的なデータの記憶に用いられる。記憶媒体１９は、画像処理部１２で作成された画像データ等を記憶する着脱可能なメモリーカードである。
【００１１】
表示部２０は、液晶表示部材および表示ドライバ等を含み、制御部３０の制御によりRAM１８に記憶されている画像データ等が示される。
レリーズ釦２１は、半押操作で第一スイッチがONされ、全押操作で第二スイッチがONされる周知の複合スイッチである。操作部２２は、不図示の電源釦、十字キー、モードダイヤル、コマンドダイヤル等のデジタルカメラ１を操作するための操作部材を含む。
【００１２】
シャッター制御部２３は、撮像素子前面に配置されたシャッター２４のシャッター羽根の駆動制御を行なっている。本実施形態においてシャッター２４は、撮像素子１０への被写体光束を遮光するための１組のシャッター羽根からなるフォーカルプレーンシャッターである。
【００１３】
なお、本実施の形態におけるデジタルカメラ１は、撮像素子１０の電荷蓄積時間（シャッター秒時）を撮像素子駆動部１１からの制御信号で制御する、いわゆる電子シャッター機構を用いる。つまりシャッター２４による遮光は、主に露光終了後に撮像素子１０を遮光することを目的としている。
【００１４】
＜シャッター＞
閉状態にあるシャッター２４の正面図を図２(a)に、開状態にあるシャッター２４の正面図を図２(ｂ)示す。図示のごとくシャッター２４には、長方形状の開口２４a、および開口２４aを塞ぐ一組のシャッター羽根２４ｂとがもうけられている。なお、開口２４aは、その短辺方向および長辺方向が撮像素子１０の受光部の短辺方向および長辺方向とそれぞれ平行となるようにデジタルカメラ１に設置されている。また、シャッター羽根２４ｂの開閉は電気的に制御および駆動されている。シャッター２４は、シャッター制御部２３の制御によりシャッター羽根２４ｂを矢印Aの方向（重力に逆らう方向）駆動し、退避させることにより開口状態となる。また、開口状態にあるシャッター２４が、シャッター制御部２３より閉信号を受信すると、シャッター２４は、退避したシャッター羽根２４ｂを矢印B方向（重力に従う方向）駆動し、開口２４aを遮光する。
【００１５】
＜シャッター駆動時のタイムラグ＞
シャッター制御部２３による制御信号および該制御信号を受けて駆動されるシャッター２４のシャッター羽根２４ｂの動作には、通常タイムラグが存在する。シャッター制御部の開閉駆動信号および開閉駆動信号を受けたシャッター羽根２４ｂの開閉駆動動作のシーケンスについて図３を用いて説明する。
【００１６】
図３に示す開閉信号(a)は、シャッター制御部２３からシャッター２４に送られるシャッター開閉駆動信号である。シャッター開時にはL信号、シャッター閉時にはH信号がシャッター制御部２３よりシャッター２４に送られる。開口率(ｂ)に、シャッター２４の開口２４aの開口率を示す。
【００１７】
時間To＝０時にシャッター開信号（L信号）が出力された後、予測開走開始タイムラグｔo１秒後に、シャッター羽根２４ｂにより開口２４aが開き始める。さらに予測開走行時間to2秒後にシャッター開口２４aが全開となる。次に時間Tｃに、シャッター閉信号が出力されると、予測閉走開始タイムラグｔｃ１秒後にシャッター羽根２４ｂにより開口２４aが閉じ始め、さらに予測閉走行時間ｔｃ２秒後にシャッター開口２４aがシャッター羽根２４ｂにより閉じられる。
【００１８】
なお、タイムラグｔo１およびｔｃ１は電気信号の立ち遅れ等の電気的、スイッチ駆動やシャッター羽根機構等の機構的なものを起因とするタイムラグである。
上述した、タイムラグｔo１およびｔｃ１、シャッター走行時間ｔo２およびｔｃ２は、シャッター２４にかかる重力方向、シャッター駆動によるシャッター２４の蓄積駆動回数、シャッター２４の温度、シャッター駆動に供給される電源状態等により変化する。
【００１９】
具体的には、シャッター羽根２４ｂの駆動によるシャッター２４の駆動部やスイッチ部の老朽化や磨耗等により、タイムラグやシャッター走行時間が長くなる。また、シャッター２４の温度状態が想定されている温度範囲（例えば１０〜４０℃）でない場合も、タイムラグやシャッター走行時間が長くなる。さらにシャッター２４やシャッター制御部２３に供給される電圧が低下すると、駆動部やスイッチ部等の動作遅れとなり、タイムラグやシャッター走行時間が長くなる。
【００２０】
シャッター２４にかかる重力方向については、シャッター羽根２４ｂの閉走行方向つまり矢印B方向が重力方向と略平行かつ方向がほぼ一致する状態をデジタルカメラ１の正位置、矢印B方向が重力方向と略平行かつほぼ逆向きとなる状態をデジタルカメラ１の逆位置、矢印B方向が重力方向と略垂直となる状態をデジタルカメラ１の横位置とする。以下にデジタルカメラ１が正位置の場合のシャッター閉走行時間を基準として考える。正位置のシャッター開走行時間は基準時間よりも長い。デジタルカメラ１が逆位置の場合にはシャッター開走行時間は基準時間と同じで、閉走行時間は基準時間よりも長くなる。デジタルカメラ１が横位置の場合はシャッター開走行時間およびシャッター開走行時間はともに基準時間よりも長くなる。
【００２１】
図３に示した開口率(ｂ)の点線部で、タイムラグto１およびtｃ１、シャッター羽根走行時間to２およびｔc２が最も長くなった場合におけるシャッター２４の開口率の変化を示す。
【００２２】
ここで、上記シャッター駆動シーケンスに対する従来の電子シャッターシーケンスについて説明する。図３において、撮像素子１０の電子シャッターによる従来の露出タイミングをCCD露光（ｃ）、露出蓄積した被写体画像信号の読み出しタイミングをCCD読み出し（ｄ）として示す。
【００２３】
CCD露光(ｃ)として示したごとく、従来は、シャッター２４の開口２４aが最も早く閉まるタイミングTc+ｔｃ１を基準に想定し、余裕ｔｄ秒前の時間Te＝Tc+ｔｃ１−ｔｄに電子シャッターによる露光が終了する様に時間Tｓ＝Tc+ｔｃ１−ｔｄ−ｔｓに露光を開始している（なおｔｓは蓄積時間）。さらに、シャッター２４の開口２４aが最も遅く閉まる時間Tce＝Tｃ+ｔｃ１+ｔｃ２+ｔｃ３を想定し撮像素子１０の蓄積電荷の転送開始時間Tｒ＝Tce+ｔｒを決定している。しかし、上述では、タイムラグｔｃ１および予測閉走行時間ｔｃ２が最も短い場合は良いが、上述したようにシャッター２４の状態によりタイムラグおよび予測閉走行時間が長くなった場合においては、ｔｃ３秒だけ余計に露光終了後の撮像素子１０に被写体光束があたることになる。また、シャッター２４の開口が閉じ終わる時間Tceが最も長い場合を想定して撮像素子１０の蓄積電荷の転送開始時間Tｒを決定しているため、露出シーケンスが不必要に長くなる場合がある。
【００２４】
本発明を適用した第一の実施の形態におけるデジタルカメラ１は、シャッター２４の状態を検出し、該検出したシャッター２４の状態に応じてタイムラグおよびシャッター羽根走行時間を決定し、これを基に、シャッター２４の開口２４aが閉じ始める時間Tc+ｔｃ１より余裕ｔｄ秒前、つまり時間Te＝Tc+ｔｃ１−ｔｄを電子シャッターによる露出が終了する露出終了時間とし、該露出終了時間に合わせて電子シャッターによる露出開始時間Tｓ＝Te−ｔｓを決定する。
【００２５】
そこで、本発明を適用した実施の形態におけるデジタルカメラ１は、デジタルカメラ１の姿勢、シャッター２４の温度、シャッター２４のレリーズ回数、デジタルカメラ１の電源状態について、それぞれをシャッター２４の駆動遅延が最短な標準状態と、シャッター２４の駆動遅延を増加させる非標準状態かを判別し、全ての状態が標準状態にある場合と、一つでも標準状態で無いものがある（シャッター２４の駆動遅延が増加する）場合とで撮像素子１０における電子シャッターの露出開始時間Tｓの基準となる露出終了時間Teを変化させる。各要因の標準状態を以下のようにする。
【００２６】
＜デジタルカメラ１の姿勢の標準状態＞
シャッター羽根の閉走行時間が短くなる正位置にある状態を標準状態とする。デジタルカメラ１が横位置および逆位置にある場合は、正位置にある場合に対しシャッター羽根閉走行時間が長くなると予測されるため非標準状態とする。カメラの姿勢は姿勢センサ１４により検出される。
【００２７】
＜シャッターの温度＞
シャッターの温度においては、シャッター２４が１０℃〜４０℃の範囲にある場合を標準状態とする。シャッター２４が該標準温度以外の温度にある場合は、タイムラグおよびシャッター羽根閉走行時間が長くなると予測されるため非標準状態とする。シャッター２４の温度は、温度センサ１３により検出される。なお温度センサとしては、シャッター２４又は、シャッター２４周辺部以外に配置された温度センサを用いても良い。例えばシャッター２４又はシャッター２４周辺部の温度を知るために、表示部２０や撮像素子１０、不図示の電源部、電子基板等の温度を測定する温度センサから出力される値を元に、シャッター又はシャッター周辺部の温度を算出しても良い。
【００２８】
＜レリーズ回数＞
レリーズ回数では、レリーズ回数が５０００回以下の場合を標準状態とする。レリーズ回数が５０００回より多くなると、シャッター２４の疲労のため閉走開始タイムラグや閉走行時間が長くなると予測されるため非標準状態とする。レリーズ回数は、撮像処理が行なわれる毎にEEPRMO１６に記憶されている。またEEPROM１６に記憶されているレリーズ回数はシャッター２４を交換した際にはリセットされる。
【００２９】
＜電源状態＞
デジタルカメラ１の電源が、所定値以上である場合を標準状態とする。電源電圧が低下すると、シャッター２４の駆動電圧が低下することにより閉走開始タイムラグや閉走行時間が長くなると予測されるため非標準状態とする。電源電圧は、電源制御部により検出する。なお、電源がACアダプタによるものである場合、又は電源が２次電池で、該２次電池の電圧が所定以上の場合又は該2次電池の残容量が所定以上の場合を標準状態としても良い。
【００３０】
なお、シャッター２４の駆動を遅延させる要因として、デジタルカメラ１の姿勢、シャッター２４の温度、シャッター２４のレリーズ回数、デジタルカメラ１の電源状態を用いたが、これに限るものではない。例えば、デジタルカメラ１に加速度センサ等を設け、デジタルカメラ１の加速、振動状態等を検出し、これがシャッター２４の駆動を遅延を増加させる程度のもので無い場合を標準状態とする。
【００３１】
＜標準状態における露出制御シーケンス＞
上述したシャッター２４の各状態が標準状態にある場合の露出制御シーケンスについて図４を基に説明する。シャッター閉信号から実際にシャッター羽根２４ｂが閉じ始めるまでのタイムラグおよびシャッター羽根閉走行時間が最も短くなると予測される。
【００３２】
まず、撮像処理が開始されると、制御部３０の指令により、シャッター制御部２３は、To時（To＝０とする）にシャッター２４にシャッター閉信号を出力する。するとタイムラグｔo1秒後にシャッター２４のシャッター羽根２４ｂにより開口２４aが開き始め、さらにシャッター羽根開走行時間to２秒後に開口２４aが全開となる。次に所定時間経過後、時間Tc時にシャッター制御部２３は、シャッター２４にシャッター閉信号を出力する。すると、予測閉走開始タイムラグｔｃ１秒後にシャッター２４のシャッター羽根２４ｂにより開口２４aが閉じ始め、さらにシャッター羽根閉走行時間ｔｃ２秒後に開口２４aが全閉となる。
【００３３】
ここで、撮像素子制御部１１は、シャッター２４が閉じ始める時間Tｃ+ｔｃ１から時間ｔｄ秒の余裕をもった露出終了時間Te＝Tc+ｔｃ１−ｔｄに、任意の露出時間（ｔｓ秒）による露出が終了するように決定された露出開始時間Tｓ（Ts＝Te−ｔｓ）に、撮像素子１０による電荷蓄積を開始する。
【００３４】
次にシャッター２４の開口２４aが完全に遮光される時間Tce＝Tc+ｔｃ１+ｔｃ２から余裕ｔｒ秒後の読み出し開始時間Tr＝Tce+ｔｒから、撮像素子１０に蓄積された電荷が読み出され、被写体画像信号として出力される。出力された被写体画像信号はRAM１８に一次記憶される。
【００３５】
＜シャッター状態が標準状態でない場合の露出制御シーケンス＞
上述したシャッター２４の各状態が一つでも標準状態で無い場合の露出制御シーケンスについて図５を基に説明する。シャッター閉信号から実際にシャッター羽根２４ｂにより開口２４aが閉じ始めるまでのタイムラグおよびシャッター羽根閉走行時間が長くなると予測する。
【００３６】
なお開口率(ｂ)、ＣＣＤ露光（ｃ）、CCD読み出し（ｄ）では、シャッター２４の各状態が標準状態で無い場合を実線で、標準の場合を点線で示している。
まず、撮像処理が開始されると、制御部３０による指令により、シャッター制御部２３は、To時（To＝０とする）にシャッター２４にシャッター閉信号を出力する。すると予測開走開始タイムラグｔo1０秒後にシャッター２４のシャッター羽根２４ｂにより開口２４aが開き始め、さらにシャッター羽根開走行時間to２０秒後に開口２４aが全開となる。次に所定時間経過後、時間Tc時にシャッター制御部２３は、シャッター２４にシャッター閉信号を出力する。すると、予測閉走開始タイムラグｔｃ１０秒後にシャッター２４のシャッター羽根２４ｂにより開口２４aが閉じ始め、さらにシャッター羽根閉走行時間ｔｃ２０秒後に開口２４aが全閉となると予測される。なおｔｃ１０＞ｔｃ１、ｔｃ２０＞ｔｃ２である。
【００３７】
ここで、撮像素子制御部１１は、シャッター２４が閉じ始める時間Tｃ+ｔｃ１０から時間ｔｄ秒の余裕をもった露出終了時間Te＝Tc+ｔｃ１０−ｔｄに、任意の露出時間（ｔｓ秒）による露出が終了するように決定された露出開始時間Tｓ（Ts＝Te−ｔｓ）に、撮像素子１０による露出を開始する。
【００３８】
シャッター２４の開口２４aが完全に遮光される時間Tce＝Tc+ｔｃ１０+ｔｃ２０から余裕ｔｒ秒後の読み出し開始時間Tr＝Tce+ｔｒから、撮像素子１０に蓄積された電荷が読み出され、被写体画像信号として出力される。出力された被写体画像信号はRAM１８に一次記憶される。
【００３９】
＜デジタルカメラ１のフロー＞
本実施の形態におけるデジタルカメラ１は、ユーザーが設定した撮像処理条件により撮像動作及び撮像画像の処理を行う撮影モード、表示部２０に表示されたメニュー画面を見ながら各種機能の設定を行うメニューモード、表示部２０に撮影済みの記録用画像データ等を表示させる画像表示モード等の動作モードを持つ。メニューモード、画像表示モードについては周知の処理であるため説明を省く。なお、各モードの切り換えは、ユーザーが不図示のモードダイヤル等を操作することにより行なわれる。
【００４０】
以下、本発明を適用した撮影モードでの撮像処理について図６のフロー図を用いて説明する。
デジタルカメラ１が撮影モードの際に、レリーズ釦２１が半押押圧操作されると撮像処理が開始される。ステップS１０１では撮像のための撮像準備処理が行なわれる。撮像準備処理とは、不図示の測光部により測定された被写体輝度値を基に撮像時に用いるシャッター速度（露出時間ｔｓ）および絞り値を必要に応じて決定する処理や、測距部により得たデータより被写体に合焦させる合焦処理等の処理である。決定された露出時間ｔｓはRAM１８に記憶される。撮像準備処理が終了すると次にステップS１０２でシャッター状態を検出するシャッター状態検出サブルーチンに移る。
【００４１】
シャッター状態検出処理の流れについてフロー図７を用いて説明する。
シャッター状態検出サブルーチンに入ると、まずステップS２０１で変数A、B、C、Dにそれぞれ０を入力する。次にステップS２０２では、温度センサ１３によりシャッター２４の温度を検出し、該温度が１０〜４０℃であるか否かが判定される。シャッター２４の温度が１０〜４０℃で無い場合はステップS２０３へ移り、シャッター２４の温度が１０〜４０℃である場合はステップS２０４へ移る。ステップS２０３では、変数Aに１を代入した後にステップS２０４へ移る。
【００４２】
ステップS２０４では、姿勢センサ１４によりデジタルカメラ１の姿勢を検出し、該姿勢が正位置であるか否かが判定される。デジタルカメラ１の姿勢が正位置で無い場合はステップS２０５へ移り、デジタルカメラ１の姿勢が正位置である場合はステップS２０６へ移る。ステップS２０５では、変数Bに１を代入した後ステップS２０６へ移る。
【００４３】
ステップS２０６では、EEPROM１６にすでに記憶されているレリーズ回数が５０００回以下か否かが判定される。EEPROM１６に記憶されているレリーズ回数が５０００回以下でない場合は、ステップS２０７へ移り、EEPROM１６に記憶されているレリーズ回数が５０００回以下である場合はステップS２０８へ移る。ステップS２０７では、変数Cに１を代入した後ステップS２０８へ移る。
【００４４】
ステップS２０８では、電源制御部１５により、電源電圧を検出し、該電源電圧が所定値以上か否かが判定される。電源電圧が所定値以上でない場合はステップS２０９へ移り、電源電圧が所定値以上である場合はステップS２１０へ移る。ステップS２０９では、変数Dに１を代入した後ステップS２１０へ移る。
【００４５】
ステップS２１０では、A+B+C+D＞０か否かが判定される。A+B+C+D＞０でない場合はステップS２１１へ移り、A+B+C+D＞０である場合はステップS２１２へ移る。
ステップS２１１では、予測閉走開始タイムラグをｔｃ１、予測閉走行時間をｔｃ２とし、RAM１８に記憶する。
【００４６】
ステップS２１２では、予測閉走開始タイムラグをｔｃ１０、予測閉走行時間をｔｃ２０とし、RAM１８に記憶する。
ステップS２１１又S２１２が終了するとシャッター状態検出サブルーチンは終了し、再び撮像処理フローのステップS１０３移る。
【００４７】
ステップS１０３では、レリーズ釦２１が全押操作されたか否かが判定される。レリーズ釦２１が全押操作された場合はステップS１０４へ移り、レリーズ釦２１が全押操作されていない場合は撮像処理を終了する。ステップS１０４では上述した露出制御シーケンスに基づき撮像処理が行なわれる。露出制御シーケンスの電子シャッターによる露光は、RAM１８より、撮像素子１０の電子シャッターの露光時間ｔs、および予測閉走開始タイムラグ（ｔｃ１又はｔｃ１０）を読み出し、これらを基にしてを求めた電子シャッターによる露光開始時間Ts（Ts＝Tc+ｔｃ１−ｔｄ−ｔｓ又はTs＝Tc+ｔｃ１０−ｔｄ−ｔｓ）に露光を開始する。露出制御シーケンスのCCD読み出しは、予測閉走開始タイムラグおよび予測閉走時間より算出された被写体信号の読み出し開始時間Tr（Tr＝Tc+ｔｃ１+ｔｃ２+ｔｒ又はTr＝Tc+ｔｃ１０+ｔｃ２０+ｔｒ）より開始される。撮像素子１０より読み出された被写体画像信号は、画像処理部１２により種々の処理が行なわれ被写体画像データが作成される。ステップS１０５では、ステップS１０４で作成された被写体画像データを記憶媒体１９に記憶したのちに撮像処理を終了する。
【００４８】
なお、上述では、シャッター２３の状態を検出するシャッター状態検出処理をステップS１０２で行なったがこれに限るものではない。例えば、シャッター状態検出処理をデジタルカメラ１の電源投入時や、撮像処理モードに切り換った際に行なっても良い。
【００４９】
また、シャッター２４に、開口２４aが全開か否か、全閉か否かを検出するシャッター閉スイッチ、シャッター開スイッチを設け、該シャッター開スイッチ、シャッター閉スイッチを用いて露出制御シーケンスの処理タイミング（例えばシャッター閉信号出力タイミング等）を調整しても良い。この場合は、シャッター開スイッチ、シャッター閉スイッチの劣化、供給電源電圧の低下等によるタイムラグも考慮し撮像素子１０による電子シャッター露出タイミング（Ts、Te）を決定する。
【００５０】
上述のごとく、本実施の形態におけるデジタルカメラ１は、シャッター２４がシャッター羽根閉信号を受けてから実際にシャッター２４の開口２４aが閉じ始めるまでの予測閉走開始タイムラグを、検出されたシャッターの状態が標準状態か否かにより（ｔｃ１又はｔｃ１０）決定し、これを基に撮像素子１０の電子シャッターの露光タイミング（Ts、Te）を決定するため、撮像素子１０の露光終了後に不必要に被写体光が撮像素子１０入射する時間を短縮できる。これにより、露光後の撮像素子に不必要に被写体光が入射することにより生じるブルーミング等を減少させることが可能となる。
【００５１】
また、撮像素子１０に蓄積された電荷信号の読み出し開始時間Trを、予測閉走開始タイムラグ（標準状態時ｔｃ１、非標準状態時ｔｃ１０）と予測閉走行時間（標準状態時ｔｃ２、非標準状態時ｔｃ２０）とを考慮して決定する（標準状態時Tr＝ｔｃ１+ｔｃ２+ｔｒ、非標準状態時Tｒ＝ｔｃ１０+ｔｃ２０+ｔｒ）ため、露出制御シーケンスを短縮することができる（つまり、図３(ｂ)でのｔｃ３秒分短縮できる）。そのため、連続撮影時のコマ速を向上することが可能となる。
【００５２】
以上説明してように、本発明を適用した一実施の形態におけるデジタルカメラ１について説明したが、本発明はこれに限るものではない。以下変形例について説明する。
＜変形例＞
上述では、シャッター状態が標準状態か、非標準状態かの2つの場合に分けて２つの予測閉走開始タイムラグ（ｔｃ１、ｔｃ１０）を用いて撮像素子１０の露出タイミングを決定したがこれに限るものではなく、シャッター状態を２つ以上の状態に分類し、各状態に合わせてた予測閉走開始タイムラグを用いて撮像素子１０の露出タイミングを決定しても良い。例えば、シャッターの温度が標準温度（１０〜４０℃）から５℃外れるごとにタイムラグが予測閉走開始タイムラグが１ｍｓ遅延が増加するとし、温度による予測閉走開始タイムラグの遅延の増加量を求める。姿勢、レリーズ回数、電源電圧についても同様に予測閉走開始タイムラグの遅延増加量を求め、これらの予測閉走開始タイムラグの遅延の増加量を積算し求めた予測閉走開始タイムラグ遅延増加量を基に予測閉走開始タイムラグを求める。露出制御シーケンスでは該求めた予測閉走開始タイムラグを用いて、撮像素子の電子シャッターによる露出開始終了時間を決定する。上述ようにより細かく予測閉走開始タイムラグ決定することにより、露出後の撮像素子へ入射する被写体光をさらに減少させることができる。
【００５３】
なお、１組のフォーカルプレーンシャッターを用いて説明したが、周知の先幕後幕からなる２組のシャッターを用いても良い。この場合は、上述した閉走開始タイムラグは後幕の走行開始タイムラグとなる。さらに、レンズシャッターを用いたデジタルカメラに適用しても良い。一眼レフデジタルカメラ、レンズ一体型デジタルカメラや、デジタルビデオカメラ等に適用しても良い。
【図面の簡単な説明】
【００５４】
【図１】デジタルカメラ１のブロック図
【図２】シャッター２４の正面図
【図３】従来の露出制御シーケンス
【図４】標準状態での露出制御シーケンス
【図５】標準状態で無い場合の露出制御シーケンス
【図６】撮像処理のフロー図
【図７】シャッター状態検出処理のフロー図
【符号の説明】
【００５５】
１  デジタルカメラ
１０  撮像素子
１１  撮像素子制御部
１２  画像処理部
１３  温度センサ
１４  姿勢センサ
１５  電源制御部
１６  EEPROM
１７  ROM
１８  RAM
１９  記憶媒体
２０  表示部
２１  レリーズ釦
２２  操作部
２３  シャッター制御部
２４  シャッター
【図１】
2006270862.tif 000003
【図２】
2006270862.tif 000004
【図３】
2006270862.tif 000005
【図４】
2006270862.tif 000006
【図５】
2006270862.tif 000007
【図６】
2006270862.tif 000008
【図７】
2006270862.tif 000009